(57)【要約】【課題】極めて簡単な構成であっても、吸振対象が載置される基板に作用する振動及び衝撃を吸収して減衰させることができる動吸振器を提供する。【解決手段】まず、吸振対象が載置される基板１０に第１貫通孔１７を設け、底板及び底板の周囲から立設された周壁を有する筒状部材１２ａ，１２ｂに第２貫通孔１８ａ，１８ｂを設ける。そして、第１貫通孔１７と第２貫通孔１８ａ，１８ｂとが重なった状態で筒状部材１２ａ，１２ｂの底板が基板１０と対向するように配置する。さらに、第２貫通孔１８ａ，１８ｂに移動可能な支柱１１を挿入する。そして、バネ部材１３ａ，１３ｂを筒状部材１２ａ，１２ｂの開口側のそれぞれから支柱１１に嵌入する。各バネ部材１３ａ，１３ｂの一端側には、錘部材１４ａ，１４ｂが配置され、留め具１５ａ，１５ｂによって錘部材１４ａ，１４ｂの支柱１１に対する位置を固定する。【選択図】図２
2007285320.tif 000002
【特許請求の範囲】
【請求項１】
貫通孔を有し、吸振対象が載置される基板と、
前記貫通孔に挿入された移動可能な支柱と、
前記基板の両面側それぞれから前記支柱に嵌入された２つのバネ部材と、
各バネ部材の一端側に配置された錘部材と、
該錘部材の前記支柱に対する位置を固定するための固定部材と
を備え、
各バネ部材は、一端が各錘部材を押圧するとともに、他端が前記基板を押圧していること
を特徴とする動吸振器。
【請求項２】
前記バネ部材、錘部材及び固定部材を覆う筒状部材をさらに備えること
を特徴とする請求項１に記載の動吸振器。
【請求項３】
第１貫通孔を有し、吸振対象が載置される基板と、
第２貫通孔が設けられた底板及び該底板の周囲から立設された周壁を有し、前記第２貫通孔と前記第１貫通孔とが重なった状態で前記底板が前記基板と対向するように配置された２つの筒状部材と、
各筒状部材の底板に設けた第２貫通孔に挿入された移動可能な支柱と、
前記筒状部材の開口側のそれぞれから前記支柱に嵌入された２つのバネ部材と、
各バネ部材の一端側に配置された錘部材と、
該錘部材の前記支柱に対する位置を固定するための固定部材と
を備え、
各バネ部材は、一端が各錘部材を押圧するとともに、他端が各筒状部材の底板を押圧していること
を特徴とする動吸振器。
【請求項４】
前記支柱に螺子溝が形成されており、
該螺子溝と螺嵌する溝を有する穴が前記固定部材に形成されていること
を特徴とする請求項１乃至請求項３のいずれか１つに記載の動吸振器。
【発明の詳細な説明】
【技術分野】
【０００１】
本発明は、吸振対象が載置される基板に作用する振動及び衝撃を吸収して減衰させる動吸振器に関する。
【背景技術】
【０００２】
大多数の電気機器には電子回路がプリント基板に搭載されている。通常、プリント基板をゴム緩衝体で支持することにより、プリント基板に作用する振動及び衝撃をゴム緩衝体の弾性力によって吸収する。近年、ＬＣＤ、ＰＤＰ、有機／無機ＥＬ、ＳＥＤなど様々な薄型の表示装置が実用化されている。これらの表示装置は、従来のＣＲＴと比較して画面サイズを大きくすることが容易である。それに伴い、従来のようなゴム緩衝体では、十分な振動及び衝撃の吸収ができない。
【０００３】
ところで、高層ビル及びタワーの振動制御には、構造物に共振質量となる錘を設け、錘を振動させることにより構造物本体の振動を減衰させる動吸振器が用いられる。特許文献１には、共通の支持部材から複数のバネ部材を延出し、これらバネ部材の先端にそれぞれ錘を取り付けて、これら錘を揺動自在に片持ち支持すると共に、これら錘の揺動を減衰するための減衰部材を取り付けた動吸振器が開示されている。
【特許文献１】特開平９−１１９４７７号公報
【発明の開示】
【発明が解決しようとする課題】
【０００４】
しかしながら、特許文献１に開示された動吸振器においては、ボルト及び接着剤などによって支持部材を吸振対象に固定する必要があり、また、あくまで高層ビル及びタワーのような構造物の振動制御を目的とするものであり、薄型の表示装置などの各種の電気機器に動吸振器が搭載された実用例はない。したがって、高層ビル及びタワーのような構造物と比べて小型の電気機器を吸振対象とし、簡単な構成で、かつコストをかけることなく、吸振対象に作用する振動及び衝撃を吸収して減衰させることができる動吸振器が要望されていた。
【０００５】
本発明は斯かる事情に鑑みてなされたものであり、電気機器に好適であって、極めて簡単な構成であっても、吸振対象が載置される基板に作用する振動及び衝撃を吸収して減衰させることができる動吸振器の提供を目的とする。
【課題を解決するための手段】
【０００６】
本発明に係る動吸振器は、貫通孔を有し、吸振対象が載置される基板と、前記貫通孔に挿入された移動可能な支柱と、前記基板の両面側それぞれから前記支柱に嵌入された２つのバネ部材と、各バネ部材の一端側に配置された錘部材と、該錘部材の前記支柱に対する位置を固定するための固定部材とを備え、各バネ部材は、一端が各錘部材を押圧するとともに、他端が前記基板を押圧していることを特徴とする。
【０００７】
本発明にあっては、吸振対象が載置された基板に貫通孔を設ける。貫通孔に移動可能な支柱を挿入し、基板の両面側それぞれからバネ部材を支柱に嵌入する。各バネ部材の一端側には錘部材を配置し、錘部材の支柱に対する位置を固定部材によって固定する。これにより、各バネ部材は、一端が各錘部材を押圧するとともに、他端が基板を押圧する。基板に振動が加えられた場合、その振動のエネルギー（振動エネルギー）の一部が錘部材の振動エネルギーに転換され、基板自体に加えられる振動を減衰させることができる。したがって、基板に載置された吸振対象に伝わる振動及び衝撃を吸収して減衰させることができる。
【０００８】
本発明に係る動吸振器は、前記バネ部材、錘部材及び固定部材を覆う筒状部材をさらに備えることを特徴とする。
【０００９】
本発明にあっては、バネ部材、錘部材及び固定部材を覆う筒状部材をさらに備えることにより、外部からのダストなどの侵入を防止したり、人間などが動吸振器に接触することを防止することができる。
【００１０】
本発明に係る動吸振器は、第１貫通孔を有し、吸振対象が載置される基板と、第２貫通孔が設けられた底板及び該底板の周囲から立設された周壁を有し、前記第２貫通孔と前記第１貫通孔とが重なった状態で前記底板が前記基板と対向するように配置された２つの筒状部材と、各筒状部材の底板に設けた第２貫通孔に挿入された移動可能な支柱と、前記筒状部材の開口側のそれぞれから前記支柱に嵌入された２つのバネ部材と、各バネ部材の一端側に配置された錘部材と、該錘部材の前記支柱に対する位置を固定するための固定部材とを備え、各バネ部材は、一端が各錘部材を押圧するとともに、他端が各筒状部材の底板を押圧していることを特徴とする。
【００１１】
本発明にあっては、吸振対象が載置された基板に第１貫通孔を設ける。また、底板及び該底板の周囲から立設された周壁を有する２つの筒状部材に第２貫通孔を設ける。そして、第２貫通孔と第１貫通孔とが重なった状態で各筒状部材の底板が基板と対向するように配置する。そして、第２貫通孔に移動可能な支柱を挿入し、各筒状部材の開口側のそれぞれからバネ部材を支柱に嵌入する。各バネ部材の一端側には錘部材を配置し、錘部材の支柱に対する位置を固定部材によって固定する。これにより、各バネ部材は、一端が各錘部材を押圧するとともに、他端が各筒状部材の底板を押圧する。基板に振動が加えられた場合、その振動のエネルギー（振動エネルギー）の一部が錘部材の振動エネルギーに転換され、基板自体に加えられる振動を減衰させることができる。したがって、基板に載置された吸振対象に伝わる振動及び衝撃を吸収して減衰させることができる。また、筒状部材を設けることで、外部からのダストなどの侵入を防止したり、人間などが動吸振器に接触することを防止することができる。なお、筒状部材に設ける第２貫通孔の孔径を支柱の外径に合わせばよく、基板に設ける第１貫通孔は、支柱の外径より大きければ問題ない。
【００１２】
本発明に係る動吸振器は、前記支柱に螺子溝が形成されており、該螺子溝と螺嵌する溝を有する穴が前記固定部材に形成されていることを特徴とする。
【００１３】
本発明にあっては、支柱に螺子溝を形成し、その螺子溝と螺嵌する溝を有する穴を固定部材に形成することにより、螺子止めによって錘部材の支柱に対する位置を容易に固定することができる。
【発明の効果】
【００１４】
本発明によれば、吸振対象が載置された基板に貫通孔を設け、貫通孔に移動可能な支柱を挿入し、基板の両面側それぞれからバネ部材を支柱に嵌入し、各バネ部材の一端側に錘部材を配置し、錘部材の支柱に対する位置を固定部材によって固定することにより、各バネ部材の一端が各錘部材を押圧するとともに、各バネ部材の他端が基板を押圧する構成としたので、基板に振動が加えられた場合、その振動のエネルギー（振動エネルギー）の一部が錘部材の振動エネルギーに転換され、基板自体に加えられる振動を減衰させることができる。したがって、基板に載置された吸振対象に伝わる振動及び衝撃を吸収して減衰させることができる。
【００１５】
本発明によれば、バネ部材、錘部材及び固定部材を覆う筒状部材をさらに備える構成としたので、外部からのダストなどの侵入を防止したり、人間などが動吸振器に接触することを防止することができる。
【００１６】
本発明によれば、吸振対象が載置された基板に第１貫通孔を設け、底板及び該底板の周囲から立設された周壁を有する２つの筒状部材に第２貫通孔を設け、第２貫通孔と第１貫通孔とが重なった状態で各筒状部材の底板が基板と対向するように配置し、第２貫通孔には移動可能な支柱を挿入し、各筒状部材の開口側のそれぞれからバネ部材を支柱に嵌入し、各バネ部材の一端側には錘部材を配置し、錘部材の支柱に対する位置を固定部材によって固定することにより、各バネ部材の一端が各錘部材を押圧するとともに、各バネ部材の他端が各筒状部材の底板を押圧する構成としたので、基板に振動が加えられた場合、その振動のエネルギー（振動エネルギー）の一部が錘部材の振動エネルギーに転換され、基板自体に加えられる振動を減衰させることができる。したがって、基板に載置された吸振対象に伝わる振動及び衝撃を吸収して減衰させることができる。また、筒状部材を設けることで、外部からのダストなどの侵入を防止したり、人間などが動吸振器に接触することを防止することができる。
【００１７】
本発明によれば、支柱に螺子溝を形成し、その螺子溝と螺嵌する溝を有する穴を固定部材に形成することにより、螺子止めによって錘部材の支柱に対する位置を容易に固定することができる等、優れた効果を奏する。
【発明を実施するための最良の形態】
【００１８】
以下、本発明をその実施の形態を示す図面に基づいて詳述する。
【００１９】
（実施の形態１）
図１は本発明の実施の形態１に係る動吸振器の外観を示す斜視図、図２は本発明の実施の形態１に係る動吸振器の内部構成を示す側断面図、図３は本発明の実施の形態１に係る動吸振器の分解斜視図である。
本発明の実施の形態１に係る動吸振器１は、吸振対象Ｓが載置される基板１０、支柱１１、筒状部材１２ａ，１２ｂ、バネ部材１３ａ，１３ｂ、錘部材１４ａ，１４ｂ、及び留め具１５ａ，１５ｂを備えている。
【００２０】
基板１０の略中心には支柱１１を嵌入させるための第１貫通孔１７が設けられている。この第１貫通孔１７が基板に作用する振動及び衝撃を吸収する位置となるため、振動振幅が最大となる位置に第１貫通孔１７を設けることが好ましく、基板１０の大きさ、形状及び吸振対象Ｓの載置位置に応じて適宜決定する。なお、定常波の場合、基板１０の周縁が振動の節となると考えられるので、基板１０の中心が１次定常波の腹となり、この位置に第１貫通孔１７を設ける。もちろん、高次の定常波を吸振する場合には、各定常波の腹の位置に応じて第１貫通孔１７の位置を決定する。
【００２１】
筒状部材１２ａ，１２ｂは、底板及び底板の周囲から立設された周壁を有し、それぞれの底板には第２貫通孔１８ａ，１８ｂが設けられている。筒状部材１２ａ、基板１０及び筒状部材１２ｂは、この順序で第２貫通孔１８ａ、第１貫通孔１７及び第２貫通孔１８ｂが重なった状態で、それぞれの底板が基板１０と対向するように配置される。
【００２２】
支柱１１は、筒状部材１２ａ，１２ｂの底板に設けた第２貫通孔１８ａ，１８ｂに挿入されており、第２貫通孔１８ａ，１８ｂの孔軸方向に可動する。なお、支柱１１は、基板１０に設けた第１貫通孔１７にも挿入されることは言うまでもない。なお、筒状部材１２ａ，１２ｂに設けた第２貫通孔１８ａ，１８ｂの孔径を支柱１１の外径に合わせばよく、基板１０に設けた第１貫通孔１７は、支柱１１の外径より大きければよいが、本例では、第１貫通孔１７及び第２貫通孔１８ａ，１８ｂの孔径を同一とした。
【００２３】
バネ部材１３ａ，１３ｂは、筒状部材１２ａ，１２ｂの開口側のそれぞれから支柱１１に嵌入されており、各バネ部材１３ａ，１３ｂの一端側には、錘部材１４ａ，１４ｂが配置されている。留め具１５ａ，１５ｂは、錘部材１４ａ，１４ｂの支柱１１に対する位置を固定するための固定部材である。例えば、支柱１１の両端に螺子溝１１ａを形成し、その螺子溝１１ａに螺嵌する溝を有する穴を留め具１５ａ，１５ｂに形成し、螺子止めによって錘部材１４ａ，１４ｂの支柱１１に対する位置を容易に固定することができる。
【００２４】
上述のような構成によって、各バネ部材１３ａ，１３ｂは、一端が各錘部材１４ａ，１４ｂを押圧するとともに、他端が各筒状部材１２ａ，１２ｂの底板を押圧する。バネ部材１３ａ，１３ｂが同一の材料からなる場合、バネ部材１３ａ，１３ｂの平衡状態において、基板１０はバネ部材１３ａ，１３ｂの長さが略同一の位置に配置される。なお、支柱１１が鉛直方向となるように動吸振器１を配置した場合、吸振対象Ｓを載置した基板１０に作用する重力は、下側のバネ部材１３ｂのみに加わることから、平衡状態において、基板１０はバネ部材１３ｂの長さがバネ部材１３ａよりも短い位置に配置される。
【００２５】
図４は本発明の実施の形態１に係る動吸振器の動作を説明するための説明図であり、時間の経過によって、同図（ａ）→（ｂ）→（ｃ）→（ｄ）→（ｅ）のように状態が変化する。
【００２６】
まず、図４（ａ）のようなバネ部材１３ａ，１３ｂの平衡状態において振動が加えられた場合（ここでは下方向の衝撃とする）、その振動によって基板１０が下方向に移動する（図４（ｂ））。
【００２７】
基板１０が下方向に移動した場合、下側に設けられたバネ部材１３ｂが収縮し、上側に設けられたバネ部材１３ａが伸張する。これにより、バネ部材１３ａ，１３ｂの平衡状態は崩れ、バネ部材１３ｂは伸張しようとし、バネ部材１３ａは収縮しようとする。つまり上方向の付勢力が生じる。この上方向の付勢力によって基板１０は上方向に移動する（図４（ｃ））。
【００２８】
この上方向の付勢力による基板１０の上方向への移動は、バネ部材１３ａ，１３ｂの平衡状態の位置を越え、上側に設けられたバネ部材１３ａを収縮させ、下側に設けられたバネ部材１３ｂを伸張させる。これにより、バネ部材１３ａ，１３ｂの平衡状態が再び崩れ、今度はバネ部材１３ａは伸張しようとし、バネ部材１３ｂは収縮しようとする。つまり下方向の付勢力が生じる。（図４（ｄ））。
【００２９】
この下方向の付勢力によって基板１０は下方向に移動する（図４（ｅ））。そして、上側のバネ部材１３ａと下側のバネ部材１３ｂとが平衡状態になるまで上述した動作を繰り返す。
【００３０】
上述したように、基板１０に振動が加えられた場合、その振動のエネルギー（振動エネルギー）の一部が動吸振器の錘部材１４ａ，１４ｂの振動エネルギーに転換されることから、基板１０自体に加えられる振動を減衰させることができる。つまり、基板１０に載置された吸振対象Ｓに伝わる振動及び衝撃を吸収して減衰させることができる。
【００３１】
また、支柱１１が基板１０に未固定であることから、基板１０に大きな力が作用することはなく、基板１０の損傷を抑制することができる。このように、本発明では、動吸振器１によって力を吸収して、基板１０に加わる振動を抑制することができる。
【００３２】
さらに、基板１０に第１貫通孔１７を設ければ、その第１貫通孔１７に支柱を挿入して動吸振器とすることができ、その構成が極めて簡単である。また、錘部材１４ａ，１４ｂ及びバネ部材１３ａ，１３ｂを基板１０の上下それぞれに配置することにより、１つの場合と比べて２倍の重量とばね係数とを得ることができる。
【００３３】
（実施の形態２）
実施の形態１では、筒状部材１２ａ，１２ｂによって基板１０を挟持し、バネ部材１３ａ，１３ｂが筒状部材１２ａ，１２ｂの底板を押圧するような形態について説明したが、バネ部材１３ａ，１３ｂが直接的に基板１０を押圧するようにしてもよく、このようにしたものが実施の形態２である。図５は本発明の実施の形態２に係る動吸振器の内部構成を示す側断面図である。
本発明の実施の形態２に係る動吸振器２は、吸振対象が載置される基板２０、支柱２１、バネ部材２３ａ，２３ｂ、錘部材２４ａ，２４ｂ、及び留め具２５ａ，２５ｂを備えている。
【００３４】
基板２０の略中心には貫通孔２７が設けられ、支柱２１が貫通孔２７に挿入されている。バネ部材２３ａ，２３ｂは、基板２０の両面側のそれぞれから支柱２１に嵌入されており、各バネ部材２３ａ，２３ｂの一端側には、錘部材２４ａ，２４ｂが配置されている。留め具２５ａ，２５ｂは、錘部材２４ａ，２４ｂの支柱２１に対する位置を固定するための固定部材である。
【００３５】
上述のような構成によって、各バネ部材２３ａ，２３ｂは、一端が各錘部材２４ａ，２４ｂを押圧するとともに、他端が基板２０を押圧する。したがって、実施の形態１と同様、基板２０に振動が加えられた場合、その振動のエネルギー（振動エネルギー）の一部を動吸振器２の錘部材２４ａ，２４ｂの振動エネルギーに転換され、基板２０自体に加えられる振動を減衰させることができる。つまり、基板２０に載置された吸振対象に伝わる振動及び衝撃を吸収して減衰させることができる。
【００３６】
実施の形態２においては、実施の形態１と比較して筒状部材１２ａ，１２ｂが不要であることから、さらに構成が簡単である。一方、実施の形態２では基板２０に設けた貫通孔２７の孔軸方向に沿って支柱２１が可動することから、貫通孔２７の孔径を支柱２１の外径に合わせる必要があるが、実施の形態１では、筒状部材１２ａ，１２ｂに設けた第２貫通孔１８ａ，１８ｂの孔径を支柱１１の外径に合わせばよく、基板１０に設けた第１貫通孔１７は、支柱１１の外径より大きければ問題ない。
【００３７】
実施の形態２においては、バネ部材２３ａ，２３ｂによる圧力が基板に直接加わることから、基板の厚みが薄い場合には実施の形態１に示したような筒状部材を用いてバネ部材による基板への圧力を分散させることが好ましい。一方、基板の厚みが厚い場合には実施の形態２に示したように筒状部材を用いる必要はなく、基板の厚みに応じて使い分けることが好ましい。また、筒状部材は、バネ部材、錘部材及び固定部材を覆って、外部からのダストなどの侵入を防止したり、人間などが動吸振器に接触することを防止する効果があるため、塵埃環境下や基板が剥き出しになっている場合には、筒状部材を設けることが好ましい。もちろん、実施の形態２において、バネ部材、錘部材及び固定部材を覆うような筒状部材を設けて、上述した効果を奏するようにしてもよい。
【図面の簡単な説明】
【００３８】
【図１】本発明の実施の形態１に係る動吸振器の外観を示す斜視図である。
【図２】本発明の実施の形態１に係る動吸振器の内部構成を示す側断面図である。
【図３】本発明の実施の形態１に係る動吸振器の分解斜視図である。
【図４】本発明の実施の形態１に係る動吸振器の動作を説明するための説明図である。
【図５】本発明の実施の形態２に係る動吸振器の内部構成を示す側断面図である。
【符号の説明】
【００３９】
１，２  動吸振器
１０，２０  基板
１１，２１  支柱
１１ａ  螺子溝
１２ａ，１２ｂ  筒状部材
１３ａ，１３ｂ，２３ａ，２３ｂ  バネ部材
１４ａ，１４ｂ，２４ａ，２４ｂ  錘部材
１５ａ，１５ｂ，２５ａ，２５ｂ  留め具
１７  第１貫通孔
２７  貫通孔
１８ａ，１８ｂ  第２貫通孔
Ｓ  吸振対象
【図１】
2007285320.tif 000003
【図２】
2007285320.tif 000004
【図３】
2007285320.tif 000005
【図４】
2007285320.tif 000006
【図５】
2007285320.tif 000007